(57)【要約】メディア・ゲートウェイにおける終端部のコーディングの効果的な変更が、メディア・ゲートウェイ（ＭＧＷ）におけるメディア・ゲートウェイ制御部（ＭＧＣ）からシグナリングされる、ＭＧＷにおける少なくとも１つの有効データコネクション区間終端部（図１における終端部Ｂ）のコーディングを変更するための命令（２）を実施するための方法によって実現される。ＭＧＷは命令の到着時に新たな（２，５／７／９）コーディングを有するコンテキスト（終端部Ｂ、終端部Ａなど）の終端部（図１における終端部Ｂ、終端部Ａ）の接続可能性の検査を、ＭＧＷがこのＭＧＷに到着するシグナリングされた１つまたは複数の別の命令（図１の５または７または９）に基づき、ＭＧＷにはこのコンテキストの終端部におけるコーディングを変更するための全ての命令が存在することを確認する時に初めて実施する。
2005537700.tif 000002
【特許請求の範囲】
【請求項１】
メディア・ゲートウェイ制御部（ＭＧＣ）からメディア・ゲートウェイ（ＭＧＷ）にシグナリングされる、前記メディア・ゲートウェイ（ＭＧＷ）における少なくとも１つの有効データコネクション区間終端部（図１における終端部Ｂ）のコーディングを変更するための命令（図１および図２における参照番号２；図３および図４における参照番号１）を実施するための方法において、
前記メディア・ゲートウェイ（ＭＧＷ）は前記命令の到着後に、前記メディア・ゲートウェイ（ＭＧＷ）が該メディア・ゲートウェイ（ＭＧＷ）に到着する１つまたは複数のシグナリングされた別の命令（図１における５または７または９）に基づき、前記メディア・ゲートウェイ（ＭＧＷ）にコンテキストの終端部におけるコーディングを変更するための目下実施すべき全ての命令（２，５）が存在することを確認すると初めて、変更された（２，５／７／９）コーディングでもって前記コンテキスト（終端部Ｂ、終端部Ａなど）の終端部（図１における終端部Ｂ、終端部Ａ）の接続可能性を検査することを特徴とする方法。
【請求項２】
前記メディア・ゲートウェイ（ＭＧＷ）は前記終端部の接続可能性の検査の他に、相互に異なるコーディングの終端部間で場合によっては必要とされるトランスコーダの活動化を、前記メディア・ゲートウェイ（ＭＧＷ）が該メディア・ゲートウェイ（ＭＧＷ）に到着する１つまたは複数のシグナリングされた別の命令（図１における５または７または９）に基づき、前記メディア・ゲートウェイ（ＭＧＷ）に前記コンテキストの終端部におけるコーディングを変更するための全ての命令が存在することを確認するまで待機する、請求項１記載の方法。
【請求項３】
前記メディア・ゲートウェイ（ＭＧＷ）は少なくとも１つの終端部（終端部Ｂ）のコーディングを変更するための命令（２）の到着後に、到着した該命令（２）が前記コンテキストの終端部を変更するための目下未処理である最初の命令であるか否かを検査し、最初の命令である場合には、前記メディア・ゲートウェイ（ＭＧＷ）が前記コンテキストの終端部のコーディングを変更するための目下の全ての命令を受け取ったことを確認するまで、前記コンテキストの全ての終端部（終端部Ａ、終端部Ｂ）を分離または非活動化する、請求項１または２記載の方法。
【請求項４】
場合によっては変更されるコーディングでの終端部（終端部Ａ、終端部Ｂ）の相互の接続可能性の検査は、変更されたコーディングは同一であるか否かの検査を含み、コーディングが同一である場合にはトランスコーダを活動化することなく前記終端部を接続する、請求項１から３までのいずれか１項記載の方法。
【請求項５】
終端部（終端部Ａおよび終端部Ｂ）の前記接続可能性の検査の結果が、変更されたコーディングは同一ではなく、且つ前記メディア・ゲートウェイ（ＭＧＷ）は前記変更されたコーディングをトランスコーダの活動化によっても相互に変換できない場合には、前記メディア・ゲートウェイ（ＭＧＷ）はエラー通知をメディア・ゲートウェイ制御部（ＭＧＣ）に送信する、請求項１から４までのいずれか１項記載の方法。
【請求項６】
Ｑ．１９０２によるＢＩＣＣプロシージャ「コーデック変更」および「コーデック再ネゴシエーション」における前記シグナリングの順序は、ＭＧＷにおけるプロシージャをＱ．１９５０に表されている順序と相違して、ＭＧＣが複数の終端部を共通して変更する場合にＭＧＣから既に全ての終端部の変更に関するシグナリングを受け取った時点に初めて、前記ＭＧＷがコンテキストにある終端部間での必要なトランスコーディングについての検査ならびにトランスコーダの場合によっては必要とされる活動化を実施するように適合するために使用される、請求項１から５までのいずれか１項記載の方法。
【請求項７】
前記ＭＧＷが終端部の変更を指示するために前記ＭＧＣはＱ．１９５０「特性の確保」を使用する場合には、前記ＭＧＣは前記ＭＧＷへのＱ．１９５０「特性の確認」プロシージャを用いて前記終端部の変更を行う時に初めて、前記ＭＧＷは前記検査および前記トランスコーダの活動化を実施する、請求項１から６までのいずれか１項記載の方法。
【請求項８】
前記ＭＧＷが終端部の変更を指示するために前記ＭＧＣがＱ．１９５０「特性の確保」プロシージャを使用する場合には、前記ＭＧＷが同一のコンテキストにある終端部を有する有効コネクション区間の他端におけるスイッチングノードから前記有効コネクションを変更するためのメッセージ、例えばＱ．２６３０「ベアラの変更」プロシージャを受け取った時にも、前記ＭＧＷは前記検査および前記トランスコーダの活性化を実施する、請求項１から７までのいずれか１項記載の方法。
【請求項９】
前記ＭＧＷが終端部の変更を指示するために前記ＭＧＣがＱ．１９５０「特性の確保」プロシージャを使用する場合には、前記ＭＧＷが同一のコンテキストにある終端部を有する有効コネクション区間の他端におけるスイッチングノードから前記有効コネクションを変更するためのメッセージ、例えばＱ．２６３０「ベアラの変更」プロシージャを受け取った時にも、前記ＭＧＷは前記検査および前記トランスコーダの活性化を実施する、請求項１から８までのいずれか１項記載の方法。
【請求項１０】
前記ＭＧＷが終端部の変更を指示するために前記ＭＧＣがＱ．１９５０「特性の確保」プロシージャを使用する場合には、前記ＭＧＷが同一のコンテキストにある全ての終端部に関して前記ＭＧＣから同様にＱ．１９５０「特性の確保」プロシージャまたはＱ．１９５０「特性の変更」プロシージャを受け取った時にも、前記ＭＧＷは前記検査および前記トランスコーダの活性化を実施する、請求項１から９までのいずれか１項記載の方法。
【請求項１１】
前記ＭＧＷが終端部の変更を指示するために前記ＭＧＣがＱ．１９５０「特性の変更」プロシージャを使用する場合には、前記終端部に対応する有効コネクション区間の他端におけるスイッチングノードが、前記有効コネクションは変更されるべきことを例えばＱ．２６３０「ベアラの変更」プロシージャを用いてシグナリングした時に初めて、前記ＭＧＷは前記検査および前記トランスコーダの活性化を実施する、請求項１から１０までのいずれか１項記載の方法。
【請求項１２】
前記ＭＧＷが終端部の変更を指示するために前記ＭＧＣがＱ．１９５０「特性の変更」プロシージャを使用する場合には、前記ＭＧＷが同一のコンテキストにある全ての終端部に関して前記ＭＧＣから同様にＱ．１９５０「特性の確保」プロシージャまたはＱ．１９５０「特性の変更」プロシージャを受け取った時にも、前記ＭＧＷは前記検査および前記トランスコーダの活性化を実施する、請求項１から１１までのいずれか１項記載の方法
【請求項１３】
前記ＭＧＣが有効コネクションに属する複数の終端部を共通して変更し、該ＭＧＣが少なくとも２つの終端部に関してＱ．１９５０「特性の変更」プロシージャを使用する場合には、前記ＭＧＣがＱ．１９０２．４に関してメッセージ「選択されたコーデック情報の変更」または「コーデックの変更」を対応する有効コネクション区間の他端におけるスイッチングノードに送信する前に、該ＭＧＣは全ての終端部に関して先ず「特性の変更」プロシージャを実施する（図４）、請求項１から１２までのいずれか１項記載の方法。
【請求項１４】
前記ＭＧＷにおいて「特性の確保」プロシージャまたは「特性の変更」プロシージャを用いるＱ．１９５０プロトコルによるシグナリング後に、コーディングが所定の終端部を変更すべき場合には、同一の「コンテキスト」にある該所定の終端部と接続されている全ての終端部は不活動化され（Ｈ．２４８「ストリームモード」）、前記ＭＧＷに前記終端部からは有効データが転送されず、且つ前記ＭＧＷは前記終端部に有効データを転送せず、最初に変更された終端部のみが送受信状態にあり続け、有効データは同一の「コンテキスト」にある関連する終端部から転送され、且つ有効データを関連する終端部に転送し、非活動の終端部を変更するための命令を受け取った後に初めてＭＧＷは、該ＭＧＷが新たなコーディングで終端部を相互に接続できるか否かをその都度検査する、請求項１から１３までのいずれか１項記載の方法。
【請求項１５】
前記ＭＧＷは前記コネクションを前述の検査直後に再び確立するのではなく、付加的に別個のシグナリング、例えば３ＧＰＰのＴＳ２５．４１５および２９．４１５において規定されているＩｕＦＰ初期化によっても、再び接続すべき有効コネクション区間の他端における（ＭＧＷ）スイッチングノードでもって前記終端部における前記コーディングの切換えが指示された時に初めて確立する、請求項１から１４までのいずれか１項記載の方法。
【請求項１６】
前記ＭＧＷは関連する終端部を、前記ＭＧＣが前記終端部を有効データの送受信状態にすることによって有効データに関して前記ＭＧＣから変更のための命令を受け取った直後に活動化するのではなく、前記命令に続く別個のシグナリング、例えば３ＧＰＰのＴＳ  ２５．１４５および２９．４１５において規定されているＩｕＦＰ初期化によって前記有効コネクション区間の他端における（ＭＧＷ）スイッチングノードでもって前記コーディングの切換えが指示される時に初めて活動化する、請求項１から１５までのいずれか１項記載の方法。
【請求項１７】
前記ＭＧＷは終端部を変更するための最初の命令の到着後に、検査をトリガする命令の到着までの期間を制限し、該期間において接続されている有効コネクションに対応する全ての命令が到着しない場合には、前記ＭＧＷは古いコーディングでもって前記有効コネクションの本来のコネクションを再び確立する。
【請求項１８】
請求項１から１７までのいずれか１項記載の方法を実施するための装置。
【請求項１９】
有効データに関するコネクション区間の終端部（終端部Ａ、終端部Ｂ）のための入力側および／または出力側と、
装置（ＭＧＷ）において少なくとも１つの有効データコネクション区間終端部（図１における終端部Ｂ）のコーディングを変更するための、メディア・ゲートウェイ制御部（ＭＧＣ）から前記装置（ＭＧＷ）へとシグナリングされる命令（図１および図２における参照記号２；図３および図４における参照記号１）のための入力側と、
変更された（２，５／７／９）コーディングを有するコンテキスト（終端部Ｂ、終端部Ａなど）の終端部（図１における終端部Ｂ、終端部Ａ）の接続可能性を検査する制御部とを備え、該制御部は前記装置（ＭＧＷ）には該装置（ＭＧＷ）に到着する１つまたは複数のシグナリングされた別の命令（図１における５または７または９）に基づき前記コンテキストの終端部におけるコーディングを変更するために目下実施すべき全ての命令（２，５）が存在する時に初めて前記検査を実施するよう構成されている、殊に請求項１８記載の装置（ＭＧＷ）。
【発明の詳細な説明】
【技術分野】
【０００１】
本発明は、メディア・ゲートウェイにおけるメディア・ゲートウェイ制御によってメディア・ゲートウェイにおける（少なくとも１つの）有効データコネクション区間の終端部のコーディングを変更するための方法および装置に関する。
【０００２】
ＩＴＵ−ＴプロトコルＨ．２４８およびＱ．１９５０においては、いわゆる「メディア・ゲートウェイ・コントローラ」（＝メディア・ゲートウェイ制御部＝ＭＧＣ）によるいわゆる「メディア・ゲートウェイ」（＝ＭＧＷ＝例えばセルラ移動無線網または固定網における切換装置）の制御が規定されている。プロトコルＱ．１９５０「ベアラに依存しない呼ベアラ制御プロトコル（Bearer independent Call Bearer Control Protocol）」（ＣＢＣ）が、同様にＩＴＵ−Ｔによって規定されているＢＩＣＣプロトコルＱ．１９０２．４と共に使用される。これらのプロトコルは３ＧＰＰアプリケーションにも使用することができる。メディア・ゲートウェイは例えば、遠隔通信網の（例えば音声、テキスト、マルチメディアのような有効データを伝送するための）有効コネクション区間を接続し、必要に応じて種々のコーディング、例えばＧ．７１１またはＡＭＲのような音声コーディングを相互に変換する。以下では、有効コネクション区間の終端部、または省略して終端部は、例えばこのＭＧＷにおける音声またはマルチメディア（トーンおよび画像）のための、ＭＧＷにより切り換えられる有効コネクションの区間の終端部と解される。ＭＧＷはこの終端部によって有効コネクションに属する（有効）データを送信および／または受信する。Ｈ．２４８およびＱ．１９５０の音声使用においては、有効コネクション区間終端部はいわゆる「ターミネーション」に対応する。
【０００３】
上述のプロトコルは、例えば別のコーディングを選択することによって既存の有効コネクションを変更することができる。この際使用されるＭＧＣとＭＧＷとの間のシグナリング（プロトコルＨ．２４８とＱ．１９５０）はＭＧＷにおける各終端部がＭＧＷでこの終端部と接続されている別の終端部とは独立して変更されるような性質を有する。例えばＭＧＷはこの終端部において別のコーディングを使用すること、またはデータを送信および／または受信しないこと（ＭＧＷにおけるこの終端部の非活動化＝ＭＧＷにおけるこの終端部の分離）を指示することができる。ＭＧＷは終端部を変更する際に、この変更によって終端部と接続されている別の終端部も続けて変更されるか否かを知らない。したがってＭＧＷが終端部を変更する際、この変更によって終端部（プロトコルＨ．２４８およびＱ．１９５０の音声使用ではＭＧＷにおいて相互に接続されている終端部がいわゆる共通の「コンテクスト」に存在する）が複数接続されている場合には異なるコーディングが行われ、このコーディングを例えばいわゆるトランスコーディングによって相互に変換する場合には即座に措置が講じられる。しかしながら特殊な事例においては、同一の「コンテクスト」にある、ＭＧＷに相互に接続されている全ての終端部のコーディングは時間的にほぼ同時に、例えば既存の音声コネクションのコーディングを変更することができるいわゆるＢＩＣＣ「コーデック変更（Codec Modification）」または「コーデック再ネゴシエーション（Codec Renegotiation）」（Ｑ．１９０２．４を参照されたい）の枠内において変更されるべきである。３ＧＰＰは前述のＢＩＣＣプロシージャも、音声とマルチメディア（すなわち共通のコーディングにおける音声と画像の組合）の間（有効データの種類間）で既存の有効コネクションを切り換えるために付加的に使用する。ＭＧＣはそのような状況をＭＧＣに到着するいわゆる「呼制御」シグナリング、例えばＱ１９０２．４に基づき識別することができる。ＭＧＷへのＭＧＣのシグナリングは順次行われるので、ＭＧＷにおいて接続されている全ての終端部が時間的にほぼ同時に切り換えられる場合には不所望な特性、すなわちＭＧＷは短時間トランスコーダを活動化し、このトランスコーダはその後殆ど即座に再び非活動化されることが生じる可能性がある。これによってＭＧＷにおいては不必要な動作負荷が生じ、スループットが低減される。短時間コネクションを遮断することは許容できるであろうが、今日のところ技術的に不可能である。付加的にＭＧＷは最初の終端部の変更時に場合によっては、この終端部の新たなコーディングが別の終端部において依然使用されているコーディングには変換できないことを確認する。このことはたとえば、音声コネクションとマルチメディアコネクションまたは一般的なデータコネクションとの間での切り換えの際に生じる可能性がある。したがってこの場合ＭＧＷはＨ．２４８／Ｑ．１９５０シグナリングによる有効コネクションの変更を拒絶する。
【０００４】
本発明の課題は、メディア・ゲートウェイへの指示に基づきメディア・ゲートウェイに存在する終端部における可能な限り効果的なコーディングの切換えを実現すること、またメディア・ゲートウェイが相互に変換できないコーディング間の切換えを実現することである。この課題はそれぞれ独立請求項の特徴によって解決される。本発明によればメディア・ゲートウェイＭＧＷは（ＭＧＷにおいてコンテクスト内の少なくとも１つの終端部のコーディングを変更するための）命令の到着時に、（（少なくとも１つの終端部に関して命令によって変更される）新たなコーディングでのこのコンテクストの終端部の）接続可能性また必要に応じてトランスコーディングの活動化の検査でもって、ＭＧＷに到着する１つまたは複数の別のシグナリングに基づき、このコンテクストの終端部におけるコーディングを変更するための目下懸案とされる（すなわち殊にそれ程過去に処理されていない）全ての命令が存在することを確認するまで待機することによって、ＭＧＷにおける（従来技術による）トランスコーダの短時間のオン・オフによる不必要な動作負荷を回避することができる。ＭＧＷがこのコンテクストの終端部におけるコーディングを変更するための目下実施すべき（＝例えば１つまたは他の複数の全てのＭＧＣおよび／または切換装置に目下既知である（または転送される）などの）全ての命令が存在することの確認がメディア・ゲートウェイＭＧＷにおいて行われる。このためにメディア・ゲートウェイは、Ｑ．１９０２．４およびＱ．１９５０によるＢＩＣＣプロシージャ「コーデック変更」および「コーデック再ネゴシエーション」におけるシグナリングを変更せずに従来規定されているように使用し、またメッセージを変更する必要もなく使用する。これに対し到着するＱ．１９５０メッセージへの反応としてのＭＧＷの本発明による特性は、従来Ｑ．１９５０において規定されている特性とは相違する。
【０００５】
ＭＧＷは種々の別のシグナリング（例えば図１における５／７／９）に基づき、このコンテクストの終端部におけるコーディングを変更するための全ての命令が存在することを、例えばメディア・ゲートウェイ・コントローラＭＧＣから適切なシグナリングを得ることによって（特性の確認（confirm characteristic）９＝特性（ここではコーディング）の変更の確認）、または最初の命令（２）に関連する終端部Ｂと共にコンテクストにある終端部（図１においては：単に終端部Ａ）に関してこの終端部（図１においては：終端部Ａ）のコーディングを変更するための命令を得ることによって確認（決定）することができる。
【０００６】
Ｑ．１９０２．４によるＢＩＣＣプロシージャ「コーデック変更」および「コーデック再ネゴシエーション」を用いて有効コネクションの変更をトリガするメディア・ゲートウェイ・コントローラはこれらのプロシージャを、このメディアゲートコントローラへと集まる有効コネクションの全ての分岐の方向において同時にトリガすることができる。これらの別個のプロシージャの同期はＢＩＣＣにおいてはこれまで規定されていない。ＭＧＣにおけるプロシージャの適切な同期も同様に本発明の対象である。（図４：ＭＧＣがメッセージ３および３ａを送信する前にメッセージ１および２をＭＧＷによって確認する必要がある）。
【０００７】
例えば以下の実施形態が殊に有利である。
【０００８】
１．  Ｑ．１９０２．４によるＢＩＣＣプロシージャ「コーデック変更」および「コーデック再ネゴシエーション」におけるシグナリングの順序は、プロシージャをＭＧＷにおいてＱ．１９５０に記載されているものとは相違して以下のように適合させるために使用される。すなわち、ＭＧＷがコンテクスト内の終端部間でトランスコーディングが必要とされるかの検査を実施し、ＭＧＷが複数の終端部を共通して変更する場合にＭＧＣから既に全ての終端部の変更に関するシグナリングを得た時点に初めてトランスコーダの場合によっては必要とされる活動化を実施する。
【０００９】
２．  ＭＧＷが終端部の変更を指示するためにＭＧＣはＱ．１９５０「特性の確保（Reserve Characteristic）」プロシージャを使用する場合には、ＭＧＣがＭＧＷへのＱ．１９５０「特性の確認（Confirm Characteristics）」プロシージャを用いてこの終端部の変更を行う時に初めて、ＭＧＷは検査およびトランスコードの活動化を実行すべきである。
【００１０】
３．  ２．の有利な実施形態では、ＭＧＷが終端部の変更を指示するためにＭＧＣはＱ．１９５０「特性の確保」プロシージャを使用する場合には、ＭＧＷが同一のコンテクストにある終端部を有する有効コネクション区間の他端におけるスイッチングノードから有効コネクションを変更するためのメッセージ、例えばＱ．２６３０「ベアラの変更（Modify Bearer）」プロシージャを受け取った時にも、ＭＧＷは検査およびトランスコーダの活動化を実施すべきである。
【００１１】
４．  ２．の有利な実施形態また３．の択一形態では、ＭＧＷが終端部の変更を指示するためにＭＧＣはＱ．１９５０「特性の確保」プロシージャを使用する場合には、同一のコンテクストにある全ての終端部に関してＭＧＣから同様にＱ．１９５０「特性の確保」プロシージャまたはＱ．１９５０「特性の変更」プロシージャによる変更のための命令を受け取った時にも、ＭＧＷは検査およびトランスコーダの活動化を実施すべきである。
【００１２】
５．  ＭＧＷが終端部の変更を指示するためにＭＧＣはＱ．１９５０「特性の変更」プロシージャを使用する場合には、終端部に対応する有効コネクション区間の他端におけるスイッチングノードが有効コネクションは変更されるべきことをシグナリングする時に初めて、ＭＧＷは検査およびトランスコーダの活動化を実施すべきである。
【００１３】
６．  ５．の有利な実施形態では、ＭＧＷが終端部の変更を指示するためにＭＧＣはＱ．１９５０「特性の変更」プロシージャを使用する場合には、ＭＧＷが同一のコンテクストにある全ての終端部に関してＭＧＣから同様にＱ．１９５０「特性の確保」プロシージャまたはＱ．１９５０「特性の変更」プロシージャによる変更のための命令を受け取った時にも、ＭＧＷは検査およびトランスコーダの活動化を実施すべきである。
【００１４】
７．  ＭＧＣが有効コネクションに属する複数の終端部を共通して変更し、この際ＭＧＣが少なくとも２つの終端部に関してＱ．１９５０「特性の変更」プロシージャを使用する場合には、ＭＧＣはＱ．１９０２．４に関してメッセージ「選択されたコーデック情報の変更（Modify to Selected Codec Information）」または「コーデックの変更（Modify Codec）」を対応する有効コネクション区間の他端におけるスイッチングノードに送信する前に、まず「特性の変更」プロシージャをこれら全ての終端部に対して実施すべきである。この事例は２つまたはそれ以上の方向への有効コネクションの同時の変更をトリガするＭＧＣにおいて生じる。ＢＩＣＣ、Ｑ．１９０２．４によれば全ての方向においてこのＭＧＣから独立してプロシージャ「コーデック変更」および「コーデック再ネゴシエーション」が実行される。トリガするＭＧＣにおけるこれらのプロシージャの同期は本発明の対象である（図４を参照されたい）。
【００１５】
８．  １．〜７．の有利な実施形態では、コーディングが所定の終端部を変更すべきという「特性の確保」プロシージャまたは「特性の変更」プロシージャを用いるＱ．１９５０プロトコルによるシグナリングの後にＭＧＷにおいては、同一の「コンテクスト」にあるこの所定の終端部と接続されている全ての終端部が非活動化される（Ｈ．２４８「ストリームモード」）。すなわちＭＧＷにはこの終端部からは有効データは流されず、またＭＧＣは有効データをこの終端部に流さない。最初に変更された終端部のみが送受信状態であり続ける。すなわち有効データを同一の「コンテクスト」にある関連する終端部へと転送し、また有効データが関連する終端部から転送される。１．〜７．によるこの非活動の終端部を変更するための命令が到着した時に初めて、ＭＧＷは終端部を新たなコーディングで相互に接続できるか否かをその都度検査する。
【００１６】
９．  １．〜８．の有利な実施形態では、ＭＧＷはコネクションを１．で述べた検査の直後に再び確立するのではなく、付加的に別個のシグナリングによっても、例えば３ＧＰＰのＴＳ２５．４１５および２９．４１５に規定されているＩｕＦＰ初期化によっても再び接続すべき有効コネクション区間の他端における（ＭＧＷ）スイッチングノードでもってこの終端部におけるコーディングの切換えが指示された時に初めて確立することができる。
【００１７】
１０．  １．〜９．の有利な実施形態では、ＭＧＷは関連する終端部を有効データに関してＭＧＣからの変更命令を受け取った直後に活動化するのではなく、すなわち有効データの送受信状態にされるのではなく、これに続く別個のシグナリング、例えば３ＧＰＰのＴＳ２５．４１５および２９．４１５に規定されているＩｕＦＰ初期化によって、有効コネクション区間の他端における（ＭＧＷ）スイッチングノードでもってコーディングの切換えが指示される時に初めて活動化することができる。
【００１８】
１１．  １．および１０．の有利な実施形態では、ＭＧＷは終端部を変更するための最初の命令の到着後に、検査をトリガする命令が到着するまでの期間を制限することができる。この期間において、接続されている全ての有効コネクションに関して相応の命令が到着しなかった場合には、ＭＧＷは古いコーディングでもって有効コネクションの本来のコネクションを再び確立する。
【００１９】
本発明の別の特徴および利点は請求項および図面に基づく実施例の以下の説明から明らかになる。ここで、
図１は、別のスイッチングノードによってトリガされた有効コネクションのコーディングの変更を処理および転送するＭＧＣとＭＧＷのペアに関する、あるコーディングから別のコーディングへと有効コネクションを切り換える際のＢＩＣＣおよびＣＢＣメッセージの流れを示し、
図２は、別のスイッチングノードによってトリガされた有効コネクションのコーディングの変更を処理するが転送はしないＭＧＣとＭＧＷのペアに関する、あるコーディングから別のコーディングへと有効コネクションを切り換える際のＢＩＣＣおよびＣＢＣメッセージの流れを示し、
図３は、有効コネクションのコーディングの変更を有効コネクションの方向でトリガするＭＧＣとＭＧＷのペアに関する、あるコーディングから別のコーディングへと有効コネクションを切り換える際のＢＩＣＣおよびＣＢＣメッセージの流れを示し、
図４は、ＭＧＷによって接続されている２つの有効コネクション区間の方向で有効コネクションのコーディングの変更をトリガするＭＧＣとＭＧＷのペアに関する、あるコーディングから別のコーディングへと有効コネクションを切り換える際のＢＩＣＣおよびＣＢＣメッセージの流れを示す。
【００２０】
図１は、あるのコーディングから別のコーディングへと有効コネクションを切り換える際のＢＩＣＣおよびＣＢＣメッセージの流れを示す。別のスイッチングノードによってトリガされた、有効コネクションのコーディングの変更を処理および転送するＭＧＣとＭＧＷのペアが示されている。
【００２１】
メッセージの時間的な順序が相当の番号で表されている。丸められた角によって囲まれている面内のメッセージはそれぞれ対応する終端部に関する。簡単にするためにメッセージの流れは、関連のある２つの終端部についてのみ示している。コネクションにおける他の全ての終端部は同様に処理されるべきである。終端部はＭＧＷにおいて相互に接続されており、同一の「コンテクスト」にある。メッセージ２，３，４，５，７および９はそれぞれこれらのメッセージの直後に続く逆方向のメッセージによって確認される。
【００２２】
ＢＩＣＣプロシージャ「コーデック変更」が示されている。本発明を同様に適用できるＢＩＣＣプロシージャ「コーデック再ネゴシエーション」ではメッセージの流れは同一であるが、「コーデックの変更」メッセージ（１および６）の代わりに「選択されたコーデック情報の変更」メッセージが使用される。
【００２３】
メッセージの流れは本発明によれば以下のように使用される。
【００２４】
１．  メッセージ２（Ｑ．１９５０「特性の確保」）およびメッセージ５（Ｑ．１９５０「特性の変更（Modify Characteristics）」）は変更されずにプロトコルに表されているように使用される。ＭＧＷにおいては特性がこれらのメッセージに基づき変化する。
【００２５】
２．  メッセージ２の到着後にＭＧＷは、このメッセージが相応の「コンテクスト」に関連する、コーディングを変更させる最初の指示であるか否かを検査する。この条件に該当する場合には、ＭＧＷはこの終端部と接続されている全ての終端部ならびに同一の「コンテクスト」にある全ての終端部を非活動化する。
【００２６】
３．  続いて（メッセージ３が送信される前に）、ＭＧＷは終端部Ｂを活動化する。すなわちこの終端部Ｂを有効データの送受信状態にする。
【００２７】
４．  メッセージ５または７または９の到着後に、ＭＧＷは新たなコーディングで終端部ＡとＢを接続できるか否かを検査する。接続できない場合には、ＭＧＷはメッセージ５または９の受信確認時に相応のエラーメッセージを送信する。別のエラーシグナリングはここでは示していない。
【００２８】
５．  そうでない場合にはＭＧＷは終端部Ａを新たなコーディングの使用下で（点４においてメッセージ５を使用する場合にはメッセージ７の到着後に）再び活動化し、したがって終端部ＡとＢを「接続」する。
【００２９】
６．ここでは示していない別の全ての非活動の終端部も同様に変更される。
【００３０】
図２は、あるコーディングから別のコーディングへと有効コネクションを切り換える際のＢＩＣＣおよびＣＢＣメッセージの流れを示す。別のスイッチングノードによってトリガされる有効コネクションのコーディングの変更を処理するが転送はしないＭＧＣとＭＧＷのペアを示す。
【００３１】
メッセージの時間的な順序が相応の番号によって表されている。丸められた角で囲まれている面内のメッセージはそれぞれ対応する終端部に関する。メッセージ２，３，４および５はこれらのメッセージの直後に続く逆方向のメッセージによって確認される。
【００３２】
ＢＩＣＣプロシージャ「コーデック変更」が示されている。本発明を同様に適用することができるＢＩＣＣプロシージャ「コーデック再ネゴシエーション」ではメッセージの流れは同一であるが、「コーデックの変更」メッセージ１の代わりに「選択されたコーデック情報の変更」メッセージが使用される。
【００３３】
メッセージの流れは本発明によれば以下のように使用される。
【００３４】
１．  メッセージ２（Ｑ．１９５０「特性の確保」）は変更されずにプロトコルに表されているように使用される。ＭＧＷにおいては特性がこのメッセージに基づき変化する。
【００３５】
２．  メッセージ２の到着後にＭＧＷは、このメッセージが相応の「コンテクスト」に関連する、コーディングを変更させる最初の指示であるか否かを検査する。この条件に該当する場合には、ＭＧＷはこの終端部と接続されている全ての終端部ならびに同一の「コンテクスト」にある全ての終端部を非活動化する。メッセージは「コンテクスト」のために得ようとされる新たなコーディングを明示的に規定する。
【００３６】
３．  続いて（メッセージ３が送信される前に）ＭＧＷは終端部Ｂを活動化する、すなわちこの終端部Ｂを有効データの送受信状態にする。
【００３７】
４．  メッセージ５の到着後にＭＧＷは、新たなコーディングで終端部ＡとＢを接続できるか否かを検査する。接続できない場合には、ＭＧＷはメッセージ５の受信確認時に相応のエラー通知を送信する。別のエラーシグナリングはここでは示していない。
【００３８】
５．  そうでない場合にはＭＧＷは、終端部ＡおよびＢにおいてコーディングが異なるために必要であるならばトランスコーダを挿入し、終端部Ａを新たなコーディングの使用下で再び活動化し、したがって終端部ＡとＢは「接続」される。
【００３９】
図３は、あるコーディングから別のコーディングへと有効コネクションを切り換える際のＢＩＣＣおよびＣＢＣメッセージの流れを示す。有効コネクション区間の方向での有効コネクションのコーディングの変更をトリガするＭＧＣとＭＧＷのペアを示している。
【００４０】
メッセージの時間的な流れが相応の番号によって示されている。丸まった角によって囲まれている面内のメッセージはそれぞれ対応する終端部に関する。メッセージ１および３はこれらのメッセージの直後に続く逆方向のメッセージによって確認される。
【００４１】
ＢＩＣＣプロシージャ「コーデック変更」が示されている。本発明を同様に適用することができるＢＩＣＣプロシージャ「コーデック再ネゴシエーション」ではメッセージの流れは同一であるが、「コーデックの変更」メッセージ２の代わりに「選択されたコーデック情報の変更」メッセージが使用される。
【００４２】
メッセージの流れは本発明によれば以下のように使用される。
【００４３】
１．  メッセージ１（Ｑ．１９５０「特性の変更」）は変更されずにプロトコルに表されているように使用される。ＭＧＷにおいては特性がこのメッセージに基づき変化する。
【００４４】
２．  メッセージ１の到着後にＭＧＷは、このメッセージが相応の「コンテクスト」（「＝Ｃｏｎｔｅｘｔ」）に関連する、コーディングを変更させる最初の指示であるか否かを検査する。この条件に該当する場合には、ＭＧＷはこの終端部に接続されている全ての終端部ならびに同一の「コンテクスト」にある全ての終端部を非活動化する。メッセージは「コンテクスト」のために得ようとする新たなコーディングを明示的に規定する。
【００４５】
３．  続いてＭＧＷは終端部Ａを活動化する。すなわち有効データの送受信状態にする。
【００４６】
４．  メッセージ３の到着後にＭＧＷは、新たなコーディングで終端部ＡとＢを接続できるか否かを検査する。
【００４７】
５．  ＭＧＷは終端部ＡおよびＢにおいてコーディングが異なるために必要であれば、トランスコーダを挿入し、終端部Ｂを新たなコーディングの使用下で再び活動化し、したがって終端部ＡとＢを「接続」する。
【００４８】
図４は、あるコーディングから別のコーディングへと有効コネクションを切り換える際のＢＩＣＣおよびＣＢＣメッセージの流れを示す。ＭＧＷによって接続されている２つの有効コネクション区間の方向で有効コネクションのコーディングの修正をトリガするＭＧＣとＭＧＷのペアが示されている。
【００４９】
メッセージの時間的な順序が相応の番号によって示されている。メッセージ３，４，５および３ａ，４ａ，５ａはそれぞれ別のメッセージの流れから独立して伝送される。丸まられた角で囲まれている面内のメッセージはそれぞれ対応する終端部に関する。簡単にするために、メッセージの流れは関連する２つの終端部についてのみ示されている。コネクションにおける別の全ての終端部は同様に処理されなければならない。終端部はＭＧＷにおいて相互に接続されており、また同一の「コンテクスト」にある。メッセージ１，２，４および４ａはこれらのメッセージの直後に続く逆方向のメッセージによって確認される。
【００５０】
ＢＩＣＣプロシージャ「コーデック変更」が示されている。本発明を同様に適用できるＢＩＣＣプロシージャ「コーデック再ネゴシエーション」ではメッセージの流れは同一であるが、「コーデックの変更」メッセージ（３ａおよび３ｂ）の代わりに「選択されたコーデック情報の変更」メッセージが使用される。
【００５１】
メッセージの流れは本発明によれば以下のように使用される。
【００５２】
１．  メッセージ１および２（Ｑ．１９５０「特性の変更」）がＭＧＣから送信され、ＭＧＣがメッセージ３および３ａ（Ｑ．１９０２．４「コーデックの変更」）を送出する前にＭＧＷによって確認される。Ｑ．１９０２．４によればＭＧＣがメッセージ１をメッセージ３の前に送信し、またメッセージ２をメッセージ３ａの前に送信することのみが要求される。
【００５３】
２．  メッセージ１および２（Ｑ．１９５０「特性の変更」）は変更されずにプロトコルに表されているように使用される。ＭＧＷにおいては特性がこれらのメッセージに基づき変化する。
【００５４】
３．  メッセージ１の到着後にＭＧＷは、このメッセージが相応の「コンテクスト」に関連する、コーディングを変更させる最初の指示であるか否かを検査する。この条件に該当する場合には、ＭＧＷはこの終端部と接続されている全ての終端部ならびに同一の「コンテクスト」にある全ての終端部を非活動化する。メッセージは「コンテクスト」のために得ようとされる新たなコーディングを明示的に規定する。
【００５５】
４．  続いてＭＧＷは終端部Ａを活動化する。すなわち有効データの送受信状態にする。
【００５６】
５．  メッセージ２または４または４ａの到着後にＭＧＷは、新たなコーディングで終端部ＡとＢを接続できるか否かを検査する。
【００５７】
６．  ＭＧＷは終端部Ｂを新たなコーディングの使用下で（点５においてメッセージ２を使用する場合にはメッセージ４ａの到着後に初めて）再び活動化し、したがって終端部ＡとＢは「接続」される。
【００５８】
７．  ここでは示していない、他の全ての非活動の終端部も同様に変更される。
【図面の簡単な説明】
【００５９】
【図１】別のスイッチングノードによってトリガされた有効コネクションのコーディングの変更を処理および転送するＭＧＣとＭＧＷのペアに関する、あるコーディングから別のコーディングへと有効コネクションを切り換える際のＢＩＣＣおよびＣＢＣメッセージの流れ。
【図２】別のスイッチングノードによってトリガされた有効コネクションのコーディングの変更を処理するが転送はしないＭＧＣとＭＧＷのペアに関する、あるコーディングから別のコーディングへと有効コネクションを切り換える際のＢＩＣＣおよびＣＢＣメッセージの流れ。
【図３】有効コネクションのコーディングの変更を有効コネクションの方向でトリガするＭＧＣとＭＧＷのペアに関する、あるコーディングから別のコーディングへと有効コネクションを切り換える際のＢＩＣＣおよびＣＢＣメッセージの流れ。
【図４】ＭＧＷによって接続されている２つの有効コネクション区間の方向で有効コネクションのコーディングの変更をトリガするＭＧＣとＭＧＷのペアに関する、あるコーディングから別のコーディングへと有効コネクションを切り換える際のＢＩＣＣおよびＣＢＣメッセージの流れ。
【図１】
2005537700.tif 000003
【図２】
2005537700.tif 000004
【図３】
2005537700.tif 000005
【図４】
2005537700.tif 000006
【国際調査報告】
2005537700.tif 000007
2005537700.tif 000008
2005537700.tif 000009
2005537700.tif 000010
2005537700.tif 000011
2005537700.tif 000012